【事件の表示】
　特許第５７７５６９９号「ナビゲーション装置」の請求項１ないし３に係る特許に対する特許異議の申立てについて，次のとおり決定する。
【結　論】
　特許第５７７５６９９号の請求項１ないし３に係る特許を維持する。
【理　由】
１　手続の経緯
　特許第５７７５６９９号の請求項１ないし３に係る特許についての出願は，平成２３年２月３日に特許出願され，平成２７年７月１０日にその特許権の設定登録がされ，その後，その特許（以下「本件特許」という。）に対し，平成２８年３月７日に特許異議申立人星野裕司（以下「異議申立人」という。）により特許異議の申立てがされたものである。
２　申立理由の概要
　異議申立人は，証拠として，甲第１号証（特開２００８−２９２２７９号公報），甲第２号証（特開２００４−３６３８７１号公報），甲第３号証（特開２００９−２１０２６９号公報）及び甲第４号証（特開２００６−１７５７２号公報）を提出し，本件特許の請求項１ないし３に係る特許発明は，甲第１号証ないし甲第４号証に記載された発明により，当業者が容易に発明することができたものであるから，特許法第２９条第２項の規定により特許を受けることができないものであり，請求項１ないし３に係る特許を取り消すべきものである旨，主張している。
３　本件特許発明
　特許第５７７５６９９号の請求項１ないし３に係る特許発明は，それぞれ，その特許請求の範囲の請求項１ないし３に記載された事項により特定される，次のとおりのものである（以下，それぞれ，「本件特許発明１」，「本件特許発明２」，「本件特許発明３」という。）。
　なお，Ａ〜Ｏについては，説明のために，異議申立人が付したものを参考にして，当審にて付したものである（以下，「構成要件Ａ」，「構成要件Ｂ」などと称する。）。
［本件特許発明１］（請求項１）
Ａ　地図を表示し目的地までの経路を案内するとともに，指示された地点を登録地点として登録するナビゲーション装置において，
Ｂ　移動体に設けられた撮影装置から入力される撮影像に写っている文字を文字認識する文字認識手段と，
Ｃ　前記移動体の位置情報を取得する位置情報取得手段と，
Ｄ　登録する地点の名称の入力を受け付ける入力手段と，を備え，
Ｅ　前記移動体の移動中に，前記文字認識手段によって前記撮影装置の撮影像に対して文字認識し，名称を示す文字が検出された場合に，当該名称が写った撮影像を撮影画像として取り込み，当該撮影画像を，取り込み時の移動体の位置情報，及び前記名称と対応付けて記憶装置に記憶し，
Ｆ　前記入力手段により受け付けた名称に対応する撮影画像，及び，位置情報を前記記憶装置から取り出し，当該位置情報が示す位置を登録する地点とし，名称及び撮影画像と対応付けて登録地点に登録し，
Ｇ　前記登録地点の位置情報に基づいて前記登録地点を示すアイコンを地図上に表示することを特徴とする
Ｈ　ナビゲーション装置。
［本件特許発明２］（請求項２）
Ｉ　前記入力手段は，
Ｊ　音声入力を受け付ける音声入力手段と，
Ｋ　音声を認識する音声認識手段と，を備え，
Ｌ　登録する地点の名称を示す音声が前記音声認識手段により認識されたときに，認識された名称に対応する撮影画像，及び，位置情報を前記記憶装置から取り出し，当該位置情報が示す位置を登録する地点とし，名称及び撮影画像と対応付けて登録地点に登録することを特徴とする
Ｍ　請求項１に記載のナビゲーション装置。
［本件特許発明３］（請求項３）
Ｎ　前記音声認識手段により認識された名称に対応する撮影画像が前記記憶装置に記憶されていない場合，当該名称を保持し，当該名称に対応する撮影画像が記憶されたときに，当該撮影画像，位置情報，及び名称を対応付けて登録地点に登録することを特徴とする
Ｏ　請求項２に記載のナビゲーション装置。
４　甲第１号証ないし甲第４号証の記載事項
（４−１）甲第１号証の記載事項
　甲第１号証（特開２００８−２９２２７９号公報）には，図面とともに，以下の事項が記載されている。
ア　「【０００１】
本発明は，カメラを持つ移動体において移動中に位置情報を取得し，位置情報に関連づけられた文字情報を利用するナビゲーション装置に関する。」
イ　「【０００５】
移動体のナビゲーション装置において，データベースへの情報追加は利用者の期待とは必ずしもマッチしない基準や更新頻度で行われるため実際の施設状況の改変に追いつかないといった問題が，またデータベース提供者が網羅できないローカルな情報は利用者が手動で登録しなければ利用できないといった問題があった。
【０００６】
例えば新しく出来た郊外スーパーＡといった施設名の情報はデータベース上に存在しないため行き先検索で指定出来ず，更新されたデータが供給されるのを待つか，利用者が手動で入力するしかなく，また新しい物でなくともB商店といった様なローカルである為にデータベースが網羅できない施設・店舗名称は，利用者が手動で登録する以外にデータベースへ追加する手段がなかった。
【０００７】
また上述の利用者が手動で情報を追加するケースでは，一般にナビゲーション装置の文字入力は漢字入力に多くの操作ステップを伴う為，利用者は編集から早期に運転に移行したいという意識から近傍住所名の自動入力で仮入力を済ませてしまうケースがあり，こうしたデータは事後の検索が困難であるため再編集もされず結果的に死蔵されてしまうことも多かった。
【０００８】
本発明はこのような問題に鑑みてなされたものであり，目的はカメラ装置と画像認識により位置情報と関連づけた文字情報を得る事で，データベースの更新を随時，可能な限り自動で行うことにある。」
ウ　「【００１６】
上述したように，本発明のナビゲーション装置またはナビゲーションシステムによれば，移動体が実際にカメラで撮影した画像に含まれる看板等の施設名を文字認識により自動的に入力していく為，ナビゲーション用データベースの更新が追いつかない新規の施設名や，データベース提供者が登録する基準を満たしていないローカルな施設名が，生活圏に即した範囲でナビゲーション用データベースに追加される。
【００１７】
このためナビゲーション用データベースに名称検索や行き先指定，新規ポイント指定などで期待する名称が登録されている可能性が高まる。」
エ　「【００２１】
図１は第一の実施形態のナビゲーション装置の構成を示す図である。図１に示すナビゲーション装置１はナビゲーションコントローラ１０，車両／歩行者位置検出部１１，カメラ１２，ディスプレイ装置１３，操作部１４を含んで構成されている。
【００２２】
ナビゲーションコントローラ１０は移動体，すなわち車両又は歩行者周辺の地図表示，経路探索，施設案内等を行う為にナビゲーション装置全体の動作を制御するものである。このナビゲーションコントローラ１０はＣＰＵ，ＲＯＭ，ＲＡＭ等を用いて所定の動作プログラムを実行することにより実現される。
【００２３】
車両／歩行者位置検出部１１は移動体，すなわち車両又は歩行者の位置情報（緯度，経度）を検出し，ナビゲーションコントローラ１０に出力するものである。ＧＰＳ受信機，方位センサ，加速度センサ，距離メータ等により実現される。」
オ　「【００２８】
ナビゲーション動作処理部１００は，地図情報格納部１０１に格納された地図情報と文字情報／位置情報格納部１０２に格納された文字情報／位置情報を用いて，地図情報の表示を行うための画像データ生成や，文字情報から位置情報の検索，経路検索，ランドマーク表示などの所定のナビゲーション処理を行う。また，車両／歩行者位置検出部１１からの入力や，地図情報格納部１０１の情報，各種センサの情報を処理して得られた確定位置情報（緯度，経度）を認識文字登録判定部２０５へ出力する。」
カ　「【００３０】
文字認識部２０２は，認識除外範囲処理部２００から出力される認識除外範囲をマスクされた画像に対して文字認識処理を行う。」
キ　「【００３２】
認識文字登録判定部２０５は，認識文字照合部２０４より入力された文字情報とナビゲーション動作処理部１００より入力される確定位置情報を使用し，文字情報／位置情報格納部１０２の情報に対して類似候補検索を行う。文字情報／位置情報格納部１０２より得られた類似候補と比較し，類似の情報が無いと判定した場合，認識文字照合部２０４から得られた文字情報とナビゲーション動作部１００より得られた確定位置情報を関連づけて文字情報／位置情報格納部１０２に登録する。」
ク　「【００３３】
本実施形態のナビゲーション装置１は以上のような構成をとる。続いて動作を詳細に説明する。図２はカメラ１２により撮影された画像から文字認識を行い，新規情報を登録するナビゲーション装置１の動作手順を示すフロー図である。なおこの図２に示す一連の処理は一定周期で繰り返し行われるものとする。
【００３４】
画像撮影と位置情報取得（ステップ１００）
まず移動体に搭載されたカメラ１２で撮影を行い，認識除外範囲処理部２００へ出力する。同時にナビゲーション装置１００では車両／歩行者位置検出部１１から出力される情報と各種センサ情報から確定位置情報を生成する。」
ケ　「【００３５】
除外範囲判定（ステップ１０１）
認識除外範囲処理部２００において，カメラ１２から得られた画像データを除外特徴格納部２０１のデータと比較し，標識など新規に位置情報と関連づける必要のない文字情報が含まれる除外領域を特定する。続いて後段の文字認識部２０２で認識しないように除外領域を均一な色情報に置き換える処理を行う。また移動体が車両である場合，正面及び左右車線の車両が付帯する文字情報を認識してしまわないよう固定範囲除外処理も同時に行う。
【００３６】
具体的に除外範囲を指定する例として，車両に設置されたカメラからの入力画像例を図３（ａ）に示す。図３（ａ）には正方形かつ青地に白ふちといった案内標識テンプレートに適合する画像領域１１０が存在する。また，車両に設置されていることから正面中央域１２０には車両が存在する確立が高く，この領域で文字認識を行っても位置情報と関連づけるのに適した名称が得られる確立は低い。こうした領域を固定色に置き換えた例を図３（ｂ）に示す。１１０は１３０のように，１２０は１４０のように塗りつぶされることで，誤登録を防ぐと共に認識処理の負荷を低減させる。
【００３７】
文字認識（ステップ１０２）
文字認識部２０２において，認識除外範囲処理部２００から入力された画像に対して文字認識を行い，文字情報を文字情報照合部２０４へ出力する。入力画像例を図３（ｂ）に示す。この場合，文字認識されるのは図３（ｃ）における１５０の「５０ｍ先工事中」，１６０の「ＡＢＣ」，１７０の「ＤＥＦＧ」の３フレーズとなる。
【００３８】
認識文字照合（ステップ１０３）
認識文字照合部２０４において，文字認識部２０２より入力された文字情報が除外文字格納部２０３に格納されている文字情報が含まれるか照合を行う。「工事中」，「右折」，「ｋｍ」といった位置情報に関連付ける必要の無い文字を含む文字情報はここで削除される。照合を行った結果残った文字情報は認識文字登録判定部２０５へ出力する。入力画像例図３（ｃ）にて認識される文字のうち，１５０の「５０ｍ先工事中」がステップ１０３において削除される文字情報となる。
【００３９】
類似文字情報の除外（ステップ１０４）
認識文字登録判定部２０５において，認識文字照合部２０４より入力された文字情報を使用して，文字情報／位置情報格納部１０２に格納されている情報に類似検索を行う。文字情報／位置情報格納部１０２からは類似検索に適合性の高い数個の文字情報が，関連付けられた位置情報と併せて入力され，認識文字登録判定部２０５は認識文字照合部２０４からの入力とナビゲーション動作処理部１００より入力された確定位置情報を関連づけた上でこれらを比較する。結果，類似性の高い認識文字照合部２０４からの文字情報を除外し，残った文字情報と確定位置情報を出力する。
【００４０】
具体的な例として，文字情報／位置情報格納部１０２に「ＡＢＣ」「ＤＥＦＧ」の検索を行い，類似文字情報として「ＡＢＣ」が一定近傍範囲内に既に存在する事，「ＤＥＦＧ」は存在しないという結果が得られたとすると，「ＡＢＣ」は出力情報から除外される事となる。」
コ　「【００４１】
新規文字情報／位置情報登録（ステップ１０５）
認識文字登録判定部２０５において，ステップ１０４で除外されない文字情報／位置情報がある場合，これを新規のデータとして文字情報／位置情報格納部１０２へ登録する。このようにして，新たに出現した施設看板を文字認識し，位置情報と関連づけて記録することで文字情報／位置情報データベースに自動的に追加していくことが出来る。」
（４−２）甲第２号証の記載事項
　甲第２号証（特開２００４−３６３８７１号公報）には，図面とともに，以下の事項が記載されている。
ア　「【００２６】
本発明のデータ保存装置は，画像，映像，音声の電子データに対してインデクスを付加するために，
（１）画像，映像，音声の電子データを取得する，電子データ取得手段と，
（２）画像，映像，音声の電子データを取得する際に，同時に位置情報を取得する，位置情報取得手段と，
（３）画像，映像，音声の電子データを取得する際に，同時に時刻情報を取得する，時刻情報取得手段と，
（４）上記（２），（３）から得られる結果以外の情報として，電子データから認識した情報をインデクスとして指定して付与する，インデクス付与手段（認識手段）と，
（５）画像，映像，音声の電子データと上記（２）〜（４）より得られたインデクスとを関連付けて保存する，データ保存手段と，
（６）データ保存手段により保存された電子データから，利用者の必要とする電子データ探し出す，検索手段と，
（７）検索手段により電子データを探し出すために必要な検索キーを入力する検索項目指定手段と，
（８）検索手段により得られた利用者に必要な情報を表示する，電子データ表示手段とを備えるように構成する。」
イ　「【００２８】
本発明の構成では，電子データ取得手段において取得した，前記画像，映像，音声の電子データに対して，既存の認識手法を適用して認識を行う認識手段を備え，認識結果をインデクスとしてデータ保存手段において前記画像，映像，音声の電子データと関連付けて保存する。
【００２９】
このとき，前記画像，映像データに対して文字認識手段による文字認識処理を行い，認識結果をインデクスデータとして使用することもある。あるいは，このとき，前記画像，映像データに対して顔認識手段による顔認識処理を行い，認識結果をインデクスデータとして使用することもある。あるいは，このとき，前記画像，映像データに対して物体認識手段による物体認識処理を行い，認識結果をインデクスデータとして使用することもある。さらに，このとき，前記音声データに対して音声認識手段による音声認識処理を行い，認識結果をインデクスデータとして使用することもある。」
ウ　「【００４１】
次に，データ保存手段５に保存されている情報を利用する処理について説明する。
【００４２】
先ず初めに，利用者は検索項目指定手段６において，どのような条件で前記画像，映像，音声の電子データを検索するのか，検索条件を指定し，指定された検索条件を検索手段７へ送る。検索条件の指定には，図２の画面１のように，検索条件をテキスト形式で入力するのか，あるいは位置情報を条件として，地図情報から検索を行うのか，あるいは時刻情報を検家条件として，カレンダーから検索を行うのかを指定する。」
エ　「【００５６】
図７は，本発明の第１の実施形態例におけるデータ保存方法の処理の流れを表すフローチャートである。
【００５７】
図７では，通信ネットワークに接続せずに，利用者の所有する携帯端末上での処理の流れのみを示し，通信ネットワーク上に設置したデータ保存装置を利用する場合の処理の流れについては，図９に示す。
【００５８】
本実施形態例では，先ず初めに前記画像，映像，音声の電子データ取得するとともに，同時にその取得時の位置情報，時刻情報を取得し（ＳＴ１），これらの取得情報を前記電子データと関連付けし（ＳＴ２），関連付けられた電子データと取得情報とを保存する（ＳＴ３）。次いで，保存された電子データに対して，異なる検索条件での検索を容易にするために，前記電子データに対して認識処理を行い（ＳＴ４〜１３），その結果も前記電子データと関連付けて（ＳＴ２），保存する（ＳＴ３）。
【００５９】
図８は，第１の実施形態例におけるデータ検索方法の処理の流れを表すフローチャートである。図８では，通信ネットワークに接続せずに，利用者の所有する携帯端末上での処理の流れのみを示し，通信ネットワーク上に設置したデータ保存装置を利用する場合の処理の流れについては図１０に示す。
【００６０】
本実施形態例では，利用者は先ず初めに，位置情報，時刻情報，認識結果のいずれを検索項目として使用するのかを選択する（ＳＴ１４）。ここで選択された検索項目に従い，次いで，その項目の詳細な情報（検索キー），例えば時刻情報の場合は，検索したい日付を入力として与え（ＳＴ１５），記録されている情報の検索を行う（ＳＴ１６）。このとき，入力した日付と合致する日付（即ち，検索キーに合致もしくは類似する関連情報）に保存された前記電子データが存在する場合（ＳＴ１７）は，その結果を出力し（ＳＴ１８），存在しない場合は，再度検索項目の指定，検索キー（日付など）を入力として与え，再度検索を行う（ＳＴ１９）。」
（４−３）甲第３号証の記載事項
　甲第３号証（特開２００９−２１０２６９号公報）には，図面とともに，以下の事項が記載されている。
ア　「【発明が解決しようとする課題】
【０００４】
  しかしながら，上記従来のカーナビゲーション装置においては，常に自動車が目的地に到達して駐車された時点で撮影された画像が登録されるため，上述の如くその後に目的地を設定する際にディスプレイに表示される撮影画像が目的地を適切に表わす画像であるとは限らない問題があった。例えば，目的地がファミリーレストランであって，自動車が後部をファミリーレストランに向けて駐車された場合には，撮影方向を自動車の前方に向けて配備されているカメラによっては駐車場が撮影されることとなり，ファミリーレストランについて駐車場を表わす撮影画像がディスプレイに表示されることになる。
  そこで本発明の目的は，常に目的地を適切に表わす撮影画像を登録することが可能なナビゲーション装置及び該装置における地点登録方法を提供することである。」
イ　「【発明を実施するための最良の形態】
【００１２】
  以下，本発明の実施の形態につき，図面に沿って具体的に説明する。
  図１に示す本発明に係るカーナビゲーション装置は，ＧＰＳ(Global  Positioning  System)測位機能を有しており，ＧＰＳ処理回路(２)では，図示省略するＧＰＳアンテナによって受信された信号に基づいて自動車の現在位置の経度及び緯度が測定され，その測定結果を表わす位置情報が制御回路(１)に供給される。又，ジャイロスコープ(３)により自動車の角速度が検出されて，その検出信号が制御回路(１)に供給されると共に，車速検出回路(４)により自動車の走行速度が検出されて，その検出信号が制御回路(１)に供給される。
【００１３】
  制御回路(１)には，複数の操作スイッチからなる操作スイッチ群(５)，撮影方向を自動車の前方に向けて配備されたカメラ(６)，地図や撮影画像等の種々の情報を表示するためのディスプレイ(７)，及びハードディスクドライブ装置や不揮発性メモリからなる記憶装置(８)が接続されており，該記憶装置(８)には，地図データ，住所データ，設定データ等の各種の情報が格納されている。
  制御回路(１)は，ＧＰＳ処理回路(２)から得られる位置情報に応じた地図データを記憶装置(８)から読み出し，該地図データをディスプレイ(７)に表示すると共に，ＧＰＳ処理回路(２)から得られる位置情報，ジャイロスコープ(３)から得られる角速度検出信号及び車速検出回路(４)から得られる速度検出信号に基づいて，自動車の現在位置を前記地図データ上に表示する。
【００１４】
  本発明に係るカーナビゲーション装置においては，ＧＰＳ処理回路(２)から得られた位置情報とカメラ(６)によって撮影された複数枚の撮影画像の中からユーザにより選択された１枚の撮影画像とを互いに関連付けて登録することが可能であって，上記記憶装置(８)には，自動車の走行開始後，図２に示す地点情報テーブルが作成されて格納されると共に，ユーザ操作に応じて，図３に示す地点登録テーブルが作成されて格納される。
【００１５】
  ユーザが自動車に走行を開始させる際にアクセサリー電源をオンに設定すると，その後，後述のタイミングでカメラ(６)による画像撮影が行なわれ，これによって得られる画像データとそのときにＧＰＳ処理回路(２)から得られる位置情報とが図２に示す地点情報テーブルに書き込まれる。ここで，画像撮影は，自動車の走行速度が所定速度(例えば２０ｋｍ／ｈ)以上低下したとき，自動車が右折或いは左折したとき，及び自動車が前回の撮影位置から所定距離(例えば５００ｍ或いは１ｋｍ)だけ移動したときに行なわれる。
  その後，自動車が目的地に到達してユーザが自動車のアクセサリー電源をオフに設定すると，その時点でカメラ(６)による画像撮影が行なわれ，これによって得られる画像データとそのときにＧＰＳ処理回路(２)から得られる位置情報とが図２に示す地点情報テーブルに書き込まれる。」
ウ　「【００１８】
  画像選択画面がディスプレイ(７)に表示されている状態で，ユーザが操作スイッチ群(５)に対して前記複数枚の撮影画像の中から１枚の撮影画像を選択する操作を行なうと，地点情報テーブルから前記選択されたグループについての最新の位置情報及び選択された撮影画像を表わす画像データが読み出され，読み出された位置情報及び画像データが図３に示す地点登録テーブルに書き込まれる。
【００１９】（中略）
【００２０】
  その後，ユーザが目的地の設定を行なうべく操作スイッチ群(５)に対して複数のメニューの中から目的地設定メニューを選択する操作を行なうと，上記地点登録テーブルから１或いは複数の地点についての位置情報及び画像データが読み出され，各地点について読み出された位置情報に応じた住所と画像データが表わす撮影画像とを含む図１１に示す目的地選択画面がディスプレイ(７)に表示される。この状態で，ユーザが操作スイッチ群(５)に対して複数の地点の中から目的地とする１つの地点を選択する操作を行なうと，地点登録テーブルから選択された地点についての位置情報が読み出され，該位置情報とその時点でＧＰＳ処理回路(２)から得られる位置情報とに基づいて現在位置から目的地までの経路が探索されて，経路探索の結果がディスプレイ(７)に表示される。」
エ　「【００２６】
  上記手続きによれば，自動車のアクセサリー電源がオンに設定されてからオフに設定されるまでの間，自動車の走行速度が所定速度以上低下したとき，自動車が右折或いは左折したとき，自動車が前回の撮影位置から所定距離だけ移動したとき，及びアクセサリー電源がオフに設定されたときに，カメラによる画像撮影が行なわれると共にＧＰＳ処理回路から位置情報が取得され，これによって得られる複数枚の撮影画像を表わす複数の画像データ及び複数の位置情報が，図２に示す地点情報テーブルに１つのグループとして地点毎に順次書き込まれることになる。
【００２７】
  図７は，上記制御回路(１)によって実行される地点登録手続きを表わしており，先ずステップＳ２１にて，複数のメニューの中から地点登録メニューが選択されたか否かを判断し，ユーザにより地点登録メニューを選択する操作が行なわれてイエスと判断された場合は，ステップＳ２２に移行して，地点情報テーブルから１或いは複数のグループについて夫々，最新の位置情報及び全ての画像データを読み出した後，記憶装置に格納されている住所データの中から読み出した位置情報に応じた住所データを検索し，検索の結果得られた住所データと読み出した画像データとに基づいて図９に示すグループ選択画面をディスプレイに表示する。
  次に図７のステップＳ２３では，前記１或いは複数のグループの中から１つのグループが選択されたか否かを判断し，ノーと判断された場合はステップＳ２３にて同じ判断を繰り返す。一方，ユーザにより１つのグループを選択する操作が行なわれた場合には，ステップＳ２３にてイエスと判断されてステップＳ２４に移行し，地点情報テーブルから選択されたグループについての複数の全ての画像データを読み出し，読み出した複数の画像データに基づいて図１０に示す画像選択画面をディスプレイに表示する。
【００２８】
  続いて図７のステップＳ２５では，ディスプレイに表示されている複数枚の撮影画像の中から１枚の撮影画像が選択されたか否かを判断し，ノーと判断された場合はステップＳ２５にて同じ判断を繰り返す。一方，ユーザにより１枚の撮影画像を選択する操作が行なわれた場合には，ステップＳ２５にてイエスと判断されてステップＳ２６に移行し，地点情報テーブルから選択されたグループについての最新の位置情報及び選択された撮影画像を表わす画像データを読み出し，読み出した位置情報及び画像データを図３に示す地点登録テーブルに書き込む。
【００２９】
  上記手続きによれば，ユーザが複数のメニューの中から地点登録メニューを選択する操作を行なうと，図９に示すグループ選択画面がディスプレイに表示され，この状態でユーザが地点登録を行なわんとする１つのグループを選択する操作を行なうと，選択されたグループについての図１０に示す画像選択画面がディスプレイに表示される。その後，この状態でユーザが登録せんとする所望の１枚の撮影画像を選択する操作を行なうと，前記選択されたグループについての最新の位置情報，即ち目的地の位置情報と選択された撮影画像の画像データとが地点登録テーブルに書き込まれることになる。」
オ　「【００３２】
  本発明に係るカーナビゲーション装置においては，自動車が目的地に到達するまでの地点及び目的地にて撮影された複数枚の撮影画像の中から登録せんとする撮影画像を選択することが出来るので，常に目的地を適切に表わす撮影画像を地点登録テーブルに登録することが出来る。従って，その後に目的地を設定する際には，地点登録テーブルに登録されている１或いは複数の地点について夫々，各地点を適切に表わす撮影画像を表示させることが出来，各地点を容易に認識することが出来る。
  例えば，自動車が図４に示すＡ地点〜Ｈ地点を順次通過してＩ地点に到達し，Ｉ地点にて駐車された場合，従来のカーナビゲーション装置においては，Ｉ地点での撮影画像とＩ地点の位置情報とが登録されることになるが，カメラは撮影方向を自動車の前方に向けて配備されているので，該撮影画像は目的地ではなく駐車場を表わすものとなる。これに対し，本発明に係るカーナビゲーション装置においては，Ａ〜Ｉ地点での撮影画像の中から目的地を適切に表わす撮影画像，例えば目的地の看板が写っているＣ地点やＤ地点での撮影画像，或いは目的地が写っているＥ地点やＦ地点での撮影画像を登録することが出来る。」
（４−４）甲第４号証の記載事項
　甲第４号証（特開２００６−１７５７２号公報）には，図面とともに，以下の事項が記載されている。
ア　「【要約】
  【目的】新たな案内地点のユーザ登録が簡便に且つ確実な案内がなされる車載用ナビゲーション装置を提供する。
  【構成】車載用ナビゲーション装置１０は，地図データ上の任意地点をユーザ登録地点Ｐとして登録するとともに，その位置座標データＸと，マイク１の音声入力手段で入力されたユーザ登録地点Ｐに関する情報の外部音声の音声データＳと，これを音声認識手段によって文字化した文字データＭとを対応させて記憶装置６に保存するユーザ登録地点登録手段と，ユーザ登録地点Ｐを経路案内の地図上の該当位置にアイコン表示するユーザ登録地点表示手段と，経路案内中にユーザ登録地点Ｐに接近した場合に，記憶装置６に保存された当該ユーザ登録地点Ｐに対応する音声データＳを再生してスピーカ２６から音声出力するとともに，表示装置８の画面上に文字データＭを表示するユーザ登録地点案内手段と，を備える構成である。」
イ　「【００１４】
  本発明に係る車載用ナビゲーション装置の実施の形態の好適な例を図面に基づいて説明する。なお，車載用ナビゲーション装置として一般的な公知技術となっている現在位置情報取得手段，マップマッチング，地図情報表示手段などは本発明の車載用ナビゲーション装置でも同様なので説明を省略し，専ら本発明の主旨であるユーザ指定の新たな案内地点の音声による案内内容の記憶とその地点の案内手段について説明する。
【００１５】（中略）
【００１６】
  図１において，車載用ナビゲーション装置１０は，地図データ上の指定された任意地点をユーザ登録地点Ｐとして登録するとともに，マイク１の音声入力手段で入力されアンプ２で増幅されＡ／Ｄコンバータ３でデジタルデータ化されたユーザの発した前記ユーザ登録地点Ｐに関する情報の外部音声の音声データＳと，簡略図示されたＧＰＳと各種センサーとマップマッチングなどによる位置検出手段１１によって得られる指定された任意地点としての現在位置或いは地図上の一点をデジタイジングにてポイント指定することにより地図データベース６ａから得られる当該指定された任意地点の位置座標データＸと，前記音声データＳを音声認識装置４の音声認識手段によって文字化した文字データＭとを対応させてフラッシュＲＯＭやＨＤＤなどの記憶装置６に保存するユーザ登録地点登録手段と，前記ユーザ登録地点Ｐを，表示装置８の画面に示された経路案内の地図上の該当する位置にアイコン表示するユーザ登録地点表示手段と，経路案内中に前記ユーザ登録地点Ｐに接近した場合に，前記記憶装置６に保存された当該ユーザ登録地点Ｐに対応する音声データＳを記憶装置６から読み出してＤ／Ａコンバータ７にてアナログ音声信号に変換してスピーカ２６から再生出力するとともに，前記表示装置８の画面上に当該ユーザ登録地点Ｐに対応する前記文字データＭを前記記憶装置６から読み出して表示するユーザ登録地点案内手段と，を備える構成である。なお，図１には，ユーザの発する音声とともに入力される外部ノイズを分離除去するためのノイズフィルタ（音声周波数領域のみを通す帯域フィルタなど）は図示省略されている。また，スピーカ２６を駆動するオーディオ再生部も図示省略されている。」
ウ　「【００１９】
  （１）ユーザ登録地点（走行中における現在地点）の登録のフロー
  図２において，
（ａ）ユーザ（運転者または同乗者）がキー入力部９の単純なキー操作によって所定のユーザ登録開始のスタート操作を行うと，
（ｂ）その時点の現在地点がユーザ登録地点Ｐとして決定され，その位置座標（緯度経度データ）Ｘが記憶装置６に記憶保存される。
（ｃ）次に，ユーザはマイク１で自身による前記ユーザ登録地点Ｐの案内の音声を入力し，この案内の音声の音声データＳが記憶装置６に記憶保存される。
（ｄ）同時に音声認識手段によリ前記音声データＳの文字化が行われて，その文字データＭが記憶装置６に記憶保存される。
（ｅ）さらに，ユーザ登録地点Ｐの表示案内用のアイコンがユーザの指定または自動的に選択され，地図上の当該地点への登録が行われる。（ｆ）ユーザのキー入力部９のキー操作によって録音が終了する。
（ｇ）ユーザ登録地点Ｐの位置座標に登録されたアイコンに音声データＳ及び文字データＭをリンクする。
【００２０】
  なお，（ｅ）におけるアイコンは，複数のユーザ登録地点Ｐ１，Ｐ２，Ｐ３・・を識別する番号などの記号を自動的に付したユーザ登録地点であることを表す予め定めたマークでもよいし，ユーザ登録地点の種類をマークの種類とそのアイコンを予め設定しておき，ユーザの音声入力で指定する種類を音声認識手段で判別して該当するアイコンが選択されるようにしてもよい。」
エ　「【００２５】
  次回に同じ地点を走行した場合に，図４のような表示装置の画面に示される案内地図上における▽で示される現在地点Ｚが先に登録したユーザ登録地点Ｐ１に接近すると，図３のフローチャートの手順でスピーカ２６から当該ユーザ登録地点Ｐ１の「右方向ＯＯＯが見えます。」の音声案内と，画面への同文の文字表示によって的確に具体的詳細な案内を受けることが出来る。」
５　当審の判断
（５−１）甲第１号証に記載された発明
　上記（４−１）の摘記事項アないしコの記載及び関連する図面並びにこの分野における技術常識を考慮して，甲第１号証の記載を検討する。
（ア）　上記（４−１）アないしウには，名称検索や行き先指定等で期待する名称が登録されている可能性が高まるように，ナビゲーション用データベースの更新を自動で行う『ナビゲーション装置』について記載されている。
（イ）　上記（４−１）エ及びオには，前記ナビゲーション装置が，移動体周辺の地図表示，経路探索，施設案内等を行うことについて記載されている。
　当該記載を踏まえれば，甲第１号証には，『地図を表示し，経路探索を行う』ナビゲーション装置が記載されているといえる。
（ウ）　上記（４−１）クには，移動体に搭載されたカメラで撮影を行うことが記載されている。
　上記（４−１）カ及びケには，前記ナビゲーション装置の文字認識部において，入力された画像に対し，文字認識を行うことについて記載されている。
　以上の記載を踏まえれば，甲第１号証には，『移動体に搭載されたカメラで撮影された画像に対し，文字認識を行う文字認識部』が記載されているといえる。
（エ）　上記（４−１）アには，移動体において位置情報を取得することについて記載されている。
　上記（４−１）エには，前記ナビゲーション装置の車両／歩行者位置検出部において，移動体の位置情報を検出することについて記載されている。
　以上の記載を踏まえれば，甲第１号証には，『前記移動体の位置情報を取得する車両／歩行者位置検出部』が記載されているといえる。
（オ）　上記（４−１）エには，前記ナビゲーション装置が，操作部を含んで構成されていることについて記載されている。
　当該記載を踏まえれば，甲第１号証には，『操作部』を『備え』ることが記載されているといえる。
（カ）　上記（４−１）アには，カメラを持つ移動体において，移動中に位置情報を取得することについて記載されている。
　上記（ウ）で示したように，上記（４−１）クには，移動体に搭載されたカメラで撮影を行うことについて記載され，上記（４−１）カ及びケには，前記ナビゲーション装置の文字認識部において，入力された画像に対し，文字認識を行うことについて記載されている。
　上記（４−１）キ，ケ及びコには，文字認識を行って得られ，位置情報と関連づけるのに適した名称についての文字情報，及び確定位置情報があると判定した場合，これらを新規のデータとして，前記ナビゲーション装置の文字情報／位置情報格納部に記録することについて記載されている。
　上記（４−１）エ及びクには，前記ナビゲーション装置において，前記カメラでの撮影と同時に，前記車両／歩行者位置検出部から出力される前記位置情報と，各種センサ情報とから，前記確定位置情報を生成することについて記載されている。
　以上の記載を踏まえれば，甲第１号証には，『前記移動体の移動中に前記位置情報を取得し，前記文字認識部によって前記カメラで撮影された画像に対して文字認識し，前記位置情報と関連付けるのに適した名称についての文字情報があると判定した場合に，撮影と同時に前記位置情報から生成される確定位置情報，及び前記文字情報を，文字情報／位置情報格納部に記録する』ことが記載されているといえる。
（キ）　まとめ
　以上によれば，甲１号証には，次の発明（以下「甲１発明」という。）が開示されているものと認められる。なお，甲１発明に対し，以下のとおり，当審において，（ａ）ないし（ｆ）の記号を説明のために付した。以下，構成要件ａ，構成要件ｂなどと称することとする。
（甲１発明）
「（ａ）　地図を表示し，経路探索を行うナビゲーション装置において，
（ｂ）　移動体に搭載されたカメラで撮影された画像に対し，文字認識を行う文字認識部と，
（ｃ）　前記移動体の位置情報を取得する車両／歩行者位置検出部と，
（ｄ）　操作部と，を備え，
（ｅ）　前記移動体の移動中に前記位置情報を取得し，前記文字認識部によって前記カメラで撮影された画像に対して文字認識し，前記位置情報と関連付けるのに適した名称についての文字情報があると判定した場合に，撮影と同時に前記位置情報から生成される確定位置情報，及び前記文字情報を，文字情報／位置情報格納部に記録する，
（ｆ）　ナビゲーション装置。」
（５−２）甲第２号証に記載された発明
　上記（４−２）の摘記事項アないしエの記載及び関連する図面並びにこの分野における技術常識を考慮して，甲第２号証の記載を検討する。
　上記（４−２）ア及びエには，画像の電子データを取得し，前記電子データに対して認識処理を行い，その結果と前記電子データとを関連付けてデータ保存手段に保存することについて記載されている。また，検索キーの入力により，保存された画像の電子データの検索がなされることについても記載されている。
　上記（４−２）イには，前記認識処理が，画像データに対する文字認識処理であり，認識結果をインデクスデータとして使用することについて記載されている。
　上記（４−２）ウ及びエには，利用者が，認識結果を検索項目として使用し，検索キーをテキスト形式で入力して前記検索を行うことについて記載されている。
　以上によれば，甲２号証には，次の発明（以下「甲２発明」という。）が開示されているものと認められる。
（甲２発明）
「保存された画像データを検索するために，画像データを文字認識した結果を使用すること。」
（５−３）甲第３号証に記載された発明
　上記（４−３）の摘記事項アないしオの記載及び関連する図面並びにこの分野における技術常識を考慮して，甲第３号証の記載を検討する。
　上記（４−２）ア及びオには，目的地を適切に表す撮影画像を登録することができるナビゲーション装置が記載されている。
　上記（４−２）イには，前記ナビゲーション装置において，所定のタイミングで，カメラによる画像撮影をすると，画像データと，そのときにＧＰＳ処理回路から得られる位置情報とが，地点情報テーブルに書き込まれることについて記載されている。
　上記（４−２）ウ，エ及び図９，１０には，前記ナビゲーション装置において，前記地点情報テーブルから読み出された，複数の画像データに係る複数の撮影画像が，一の住所データに対応付けられてディスプレイに表示されることが開示されている。また，ユーザが，当該表示された撮影画像の中から一枚の撮影画像を選択すると，位置情報と，選択された前記撮影画像を表す画像データとが，地点登録テーブルに書き込まれることも開示されている。
　以上によれば，甲３号証には，次の発明（以下「甲３発明」という。）が開示されているものと認められる。
（甲３発明）
「ナビゲーション装置において，撮影画像の画像データと位置情報とを地点情報テーブルに書き込むこと，及び前記地点情報テーブルから撮影画像の複数の画像データを読み出して表示し，その中からユーザが選択した画像データと位置情報とを地点登録テーブルに書き込むこと。」
（５−４）甲第４号証に記載された発明
　上記（４−４）の摘記事項アないしエの記載及び関連する図面並びにこの分野における技術常識を考慮して，甲第４号証の記載を検討する。
　上記（４−４）アないしウには，車載用ナビゲーション装置において，ユーザの操作により，当該操作の時点の現在地点がユーザ登録地点として決定され，その位置座標が記憶装置に登録されることについて記載されている。また，ユーザが，前記ユーザ登録地点の案内を入力すると，その文字データも前記記憶装置に登録されることについても記載されている。さらに，前記位置座標を識別するアイコンが，前記位置座標に対して登録されることについても記載されている。
　上記（４−４）アないしエ及び図４には，前記車載用ナビゲーション装置の表示装置の画面に示される案内地図上において，該当する位置に，前記ユーザ登録地点を識別するアイコンが表示されることについて開示されている。
　以上によれば，甲４号証には，次の発明（以下「甲４発明」という。）が開示されているものと認められる。
（甲４発明）
「ユーザが指定した地点を登録地点として登録するナビゲーション装置において，ユーザが入力した前記登録地点の案内を登録することができ，また，前記登録地点の位置座標を識別するアイコンが，地図上の前記登録地点に対応する位置に表示されること。」
（５−５）本件特許発明１と甲１発明との対比
（５−５−１）構成要件Ａと構成要件ａとの対比
ア　ナビゲーション装置が，目的地までの道案内を行うための装置であることに鑑みれば，甲１発明における，「経路探索を行う」ことは，本件特許発明１の「目的地までの経路を案内する」ことに相当する。
イ　よって，甲１発明の構成要件ａと，本件特許発明１の構成要件Ａとは，「地図を表示し目的地までの経路を案内」する「ナビゲーション装置」という点で共通する。
　もっとも，本件特許発明１の構成要件Ａでは，同発明に係るナビゲーション装置において，「指示された地点を登録地点として登録する」ことが特定されているのに対し，甲１発明の構成要件ａでは，そのような特定がなされていない点で，両発明は相違する。
（５−５−２）構成要件Ｂと構成要件ｂとの対比
ア　甲１発明における，「カメラ」，「文字認識部」が，それぞれ，本件特許発明１の「撮影装置」，「文字認識手段」に相当することは，明らかである。
　また，甲１発明において，カメラが移動体に「搭載され」ることは，カメラが移動体に「設けられ」ていることにほかならない。
イ　甲１発明における，カメラで「撮影された画像」は，「撮影像」ということができ，また，当該撮影像は，カメラ撮影されることにより，ナビゲーション装置に「入力される」ものといえる。そして，前記画像に「対し，文字認識を行う」ということは，前記撮影像に「写っている文字を文字認識する」ことにほかならない。
ウ　よって，甲１発明の構成要件ｂ「移動体に搭載されたカメラで撮影された画像に対し，文字認識を行う文字認識部と，」は，本件特許発明の構成要件Ｂ「移動体に設けられた撮影装置から入力される撮影像に写っている文字を文字認識する文字認識手段と，」に相当するといえる。
（５−５−３）構成要件Ｃと構成要件ｃとの対比
ア　甲１発明における，「車両／歩行者位置検出部」は，移動体の位置情報を取得するものであるから，本件特許発明１の「位置情報取得手段」に相当する。
イ　よって，甲１発明の構成要件ｃ「前記移動体の位置情報を取得する車両／歩行者位置検出部と，」は，本件特許発明の構成要件Ｃ「前記移動体の位置情報を取得する位置情報取得手段と，」に相当するといえる。
（５−５−４）構成要件Ｅと構成要件ｅとの対比
ア　上記（５−５−２）アで示したように，甲１発明における，「文字認識部」，「カメラ」は，それぞれ，本件特許発明１における，「文字認識手段」，「撮影装置」に相当する。
　また，上記（５−５−２）イで示したように，甲１発明における，「撮影された画像」は，「撮影像」ということができる。
　ここで，甲１発明における，情報を「記録」することは，情報を「記憶」することと言い換えることができる。そして，「文字情報／位置情報格納部」は，情報を記憶することができるものであるから，「記憶装置」ということができる。
イ　甲１発明において，「前記移動体の移動中に位置情報を取得」することについて検討するに，上記（４−１）ケの摘記箇所において，甲第１号証には，新たに出現した施設看板を文字認識し，位置情報と関連づけて記録することで，文字情報／位置情報データベースに自動的に追加していく旨，記載されている。そうすると，位置情報を取得するのみならず，文字認識して得られた文字情報及び位置情報を記録する処理を含め，「前記移動体の移動中に」行うことは，明らかである。
ウ　甲１発明における，「前記位置情報と関連づけるのに適した名称についての文字情報があると判定した場合」とは，そのような「名称を示す文字が」，文字認識の結果，「検出された場合」であるといえる。
エ　甲１発明における，「撮影と同時」に「前記位置情報から生成される確定位置情報」は，移動体の位置を示す情報であるといえるから，本件特許発明１における，「取り込み時」の「移動体の位置情報」と，「移動体の位置情報」という点では共通する。
オ　甲１発明における，「前記文字情報」は，「前記位置情報と関連付けるのに適した名称についての文字情報」のことであるから，「前記名称」を示すものということができる。
カ　よって，甲１発明の構成要件ｅと，本件特許発明１の構成要件Ｅとは，「前記移動体の移動中に，前記文字認識手段によって前記撮影装置の撮影像に対して文字認識し，名称を示す文字が検出された場合に，移動体の位置情報及び前記名称を記憶装置に記憶」する点で共通する。
　もっとも，撮影像から名称を示す文字が検出された場合に，位置情報と前記名称とを記憶装置に記憶することに関し，本件特許発明１の構成要件Ｅでは，「当該名称が写った撮影像を撮影画像として取り込み，当該画像を，取り込み時の移動体の位置情報及び前記名称と対応付けて」記憶する構成を有しているのに対し，甲１発明の構成要件ｅでは，撮影された画像を，位置情報及び名称と対応付けて記憶する構成を有していない点で，両者は相違する。
　また，記憶装置に記憶される位置情報が，本件特許発明１の構成要件Ｅでは，文字認識後の，撮影像を撮影画像として取り込む時である，「取り込み時」の位置情報であるのに対し，甲１発明の構成要件ｅでは，「撮影と同時」に生成されるものであって，文字認識後の時点の位置情報ではない点で，両者は相違する。
（５−５−５）構成要件Ｄ，Ｆと構成要件ｄ，ｆとの対比
ア　甲１発明における，「操作部」は，ユーザによる入力を行うためのものであるから，本件特許発明１の「入力手段」に相当する。
イ　よって，甲１発明の構成要件ｄ，ｆと，本件特許発明１の構成要件Ｄ，Ｆとは，「入力手段」を「備え」る点で共通する。
　もっとも，記憶装置に記憶した位置情報及び名称について，本件特許発明１の構成要件Ｄ，Ｆでは，前記入力手段で「登録する地点の名称の入力を受け付け」，前記入力手段により「受け付けた名称に対応する撮影画像，及び，位置情報を前記記憶装置から取り出し，当該位置情報が示す位置を登録する地点とし，名称及び撮影画像と対応付けて登録地点に登録」するのに対し，甲１発明の構成要件ｄ，ｆでは，記憶した位置情報等について，さらに，入力手段で受け付けた名称に対応する位置情報等を取り出して登録するという構成を有していない点で，両者は相違する。
（５−５−６）構成要件Ｇについて
　本件特許発明１では，構成要件Ｇにおいて，「前記登録地点の位置情報に基づいて前記登録地点を示すアイコンを地図上に表示する」構成が特定されているが，甲１発明では，そのような構成を有していない点で，両者は相違する。
（５−５−７）構成要件Ｈと構成要件ｆとの対比
　甲１発明の「ナビゲーション装置」は，上記（５−５−１），（５−５−４），（５−５−５）及び（５−５−６）において示した相違を除き，本件特許発明１の「ナビゲーション装置」に相当する。
（５−６）本件特許発明１と甲１発明との一致点及び相違点
　上記（５−５）に示した対比の結果に基づき，本件特許発明１と甲１発明との間の一致点及び相違点をまとめると，以下のとおりである。
［一致点］
「地図を表示し目的地までの経路を案内するナビゲーション装置において，
　移動体に設けられた撮影装置から入力される撮影像に写っている文字を文字認識する文字認識手段と，
　前記移動体の位置情報を取得する位置情報取得手段と，
　入力手段と，を備え，
　前記移動体の移動中に，前記文字認識手段によって前記撮影装置の撮影像に対して文字認識し，名称を示す文字が検出された場合に，移動体の位置情報及び前記名称を記憶装置に記憶する
　ことを特徴とするナビゲーション装置。」
［相違点］
（相違点１）
　本件特許発明１では，同発明に係るナビゲーション装置において，「指示された地点を登録地点として登録する」ことが特定されているのに対し，甲１発明では，そのような特定がなされていない点
（相違点２）
　撮影像から名称を示す文字が検出された場合に，位置情報と前記名称とを記憶装置に記憶することに関し，本件特許発明１では，「当該名称が写った撮影像を撮影画像として取り込み，当該画像を，取り込み時の移動体の位置情報及び前記名称と対応付けて」記憶する構成を有しているのに対し，甲１発明では，撮影された画像を，位置情報及び名称と対応付けて記憶する構成を有していない点
（相違点３）
　記憶装置に記憶される位置情報が，本件特許発明１では，文字認識後の，撮影像を撮影画像として取り込む時である，「取り込み時」の位置情報であるのに対し，甲１発明では，「撮影と同時」に生成されるものであって，文字認識後の時点の位置情報ではない点
（相違点４）
　記憶装置に記憶した位置情報及び名称について，本件特許発明１では，前記入力手段で「登録する地点の名称の入力を受け付け」，前記入力手段により「受け付けた名称に対応する撮影画像，及び，位置情報を前記記憶装置から取り出し，当該位置情報が示す位置を登録する地点とし，名称及び撮影画像と対応付けて登録地点に登録」するのに対し，甲１発明では，記憶した位置情報等について，さらに，入力手段で受け付けた名称に対応する位置情報等を取り出して登録するという構成を有していない点
（相違点５）
　本件特許発明１では，「前記登録地点の位置情報に基づいて前記登録地点を示すアイコンを地図上に表示する」構成が特定されているのに対し，甲１発明では，そのような構成を有していない点
（５−７）相違点についての判断
（５−７−１）（相違点１）について
　甲１号証には，甲１発明のナビゲーション装置について，ユーザに指示された地点を登録地点として登録する機能を備えることについての明示の記載はなされていない。
　しかしながら，上記（５−４）に示したように，甲４発明のナビゲーション装置は，ユーザの操作により，当該操作の時点の現在地点を登録地点として登録する，すなわち，ユーザが指定した地点を登録地点として登録する機能を有するものであり，また，当該機能は，ナビゲーション装置において，一般的なものである。
　したがって，甲１発明のナビゲーション装置において，甲４発明に示されているようなナビゲーション装置が備える一般的機能を備えるものとし，「ユーザに指示された地点を登録地点として登録する」ように構成することは，当業者が容易に想到し得たことである。
（５−７−２）（相違点２）について
　甲１発明は，地図を表示するナビゲーション装置に係る発明であるところ，地図表示において，利用者が目的地に容易に到達できるようにするための情報（例えば，目印となる施設の画像等）を豊富化することは，本願出願前に周知の課題であるといえる。　
　ここで，上記（５−３）に示したように，甲３発明は，ナビゲーション装置において，撮影画像の画像データと位置情報とを地点情報テーブルに書き込む，すなわち記録するものである。また，甲３発明において，撮影画像は，一の住所データに対応付けられてディスプレイに表示されるのであるから，画像データが，位置情報と対応付けられて記録されることは自明である。
　甲１発明と，甲３発明とは，ナビゲーション装置の表示情報に関する発明である点で共通し，加えて前記周知の課題をも踏まえると，甲１発明に甲３発明を適用する動機付けが存在するといえる。
　したがって，甲１発明における，位置情報と関連づけるのに適した名称についての文字情報があると判定した場合の，位置情報等の記憶に関し，甲３発明を適用し，カメラで撮影された画像も，位置情報及び名称と対応付けて記憶するように構成することは，当業者が容易に想到し得たことである。
（５−７−３）（相違点３）について
　上記（４−１）ウ及びケに示されているように，甲１号証には，甲１発明における位置情報とともに文字情報／位置情報記憶部に記憶される文字情報がいかなるものであるのかに関し，当該位置情報と関連付けるのに適した，看板等の施設名の名称であることについて，例示されている。
　ここで，そのような施設の看板の位置と，撮影位置とは，完全には一致しないから，撮影時から一定程度経過した時点の位置情報であっても，前記名称に関連付けるのに適したものといえることは明らかである。
　そうすると，前記関連付けるのに適しているといい得る範囲において，前記位置情報を撮影時以降のいつの時点のものとするかは，当業者が適宜選択し得た設計的事項にすぎないといえる。
　よって，位置情報について，上記（５−７−２）で示した甲３発明の甲１発明への適用の際に，撮影と同時に生成するもの，すなわち，文字認識前の時点の位置情報とすることに代え，文字認識後の画像を取り込んだ時点の位置情報とすることは，当業者が容易に想到し得たことである。
（５−７−４）（相違点４）について
ア　甲１発明は，文字情報／位置情報格納部に記録した位置情報等について，さらに，入力手段で受け付けた名称に対応する位置情報等を取り出して登録するという構成を備えていない。
　ここで，上記（５−３）に示したように，甲３発明は，ナビゲーション装置において，撮影画像の画像データと位置情報とを地点情報テーブルに書き込み，すなわち記憶し，さらに前記地点情報テーブルから撮影画像の複数の画像データを読み出して表示し，その中からユーザが選択した画像データと位置情報とを地点登録テーブルに書き込む，すなわち記憶するものである。したがって，甲３発明は，いったん記憶した位置情報等の中から，ユーザが選択したものを，改めて登録するものであるといえる。
　しかしながら，甲３発明において，いったん記録した位置情報等の中から，登録すべきものをユーザに選択させる手法は，上記（４−３）ア及びオに示されているように，複数の画像データを表示して当該地点を適切に表す画像データを選択させるというものであり，本件特許発明１のように，入力手段で名称を受け付けることにより登録すべき地点自体を選択させるものとは全く異なっている。
　そうすると，甲１発明に，甲３発明を適用したとしても，本件特許発明１の「登録する地点の名称の入力を受け付け」，「受け付けた名称に対応する撮影画像，及び，位置情報を前記記憶装置から取り出し，当該位置情報が示す位置を登録する地点とし，名称及び撮影画像と対応付けて登録地点に登録」する構成に到達することはできない。
　また，本件特許発明１の当該構成については，甲２発明及び甲４発明も備えておらず，当業者が適宜なし得た設計的事項ということもできない。
　したがって，本件特許発明１の（相違点４）に係る構成については，甲１発明ないし甲４発明に基づき，当業者が容易になし得たものとはいえない。
イ　ここで，異議申立人は，特許異議申立書の第１３ページ下から第８行ないし第１４ページ第２行において，同人の示す相違点３に対応した，この（相違点４）に関し，「ユーザが指定する撮影画像と位置情報を関連付けて記憶手段に登録することが甲第３号証で開示されている。
　甲第３号証の記載事項を甲１発明に適用して，画像から文字認識された文字，指定した撮影画像，及び，画像の撮影時の位置情報，画像データを登録することは，当業者であれば容易に想到しうるものである。なお，画像の指定に画像認識した文字を使用することについては，甲第２号証が，撮影した画像データに対する文字認識処理の結果をインデクスデータとして画像の検索に使用してする〔ママ〕ことを開示しており周知技術である。」と主張している。
　しかしながら，甲３発明は，本件特許発明１のように，入力手段で名称を受け付けることにより登録すべき地点を選択させるものでなく，甲３発明を甲１発明に適用しても，（相違点４）に係る構成に到達しないことは，上記アに示したとおりである。
　また，甲２発明のように，「保存された画像データを検索するために，画像データを文字認識した結果を使用する」ことが本願出願前に周知であることを指摘してみても，それは，甲１発明に甲３発明を適用した発明における，文字情報／位置情報格納部に記録された位置情報及び画像データに関し，当該画像データの検索を，当該画像データを文字認識した結果を使用して行えることの容易想到性を示すにとどまる。したがって，甲２発明を考慮したとしても，当業者は，なお（相違点４）に係る構成に到達することはできない。
　したがって，異議申立人の主張を踏まえても，本件特許発明１の（相違点４）に係る構成について，当業者が容易に想到し得たものということはできない。
（５−７−５）（相違点５）について
　甲１発明は，本件特許発明１の「前記登録地点の位置情報に基づいて前記登録地点を示すアイコンを地図上に表示する」という構成を備えていない。
　一方，上記（５−４）に示したように，甲４発明は，「ユーザの操作により，当該操作の時点の現在地点を登録地点として登録するナビゲーション装置において，前記登録地点の位置座標を識別するアイコンが，地図上の前記登録地点に対応する位置に表示される」ものである。そして，甲４発明のように，ユーザに指示された登録地点を示すアイコンを地図上に表示することは，本願出願前に周知の技術である。この点，異議申立人の（相違点５）についての主張（特許異議申立書の第１４ページ第３ないし９行。なお，（相違点５）は，異議申立人の示す相違点４に対応する。）のうち，前記の技術が本願出願前に周知であり，甲４発明がその一例である旨の主張については，妥当なものといえる。
　しかしながら，本件特許発明１の（相違点５）に係る構成のうち，「
前記
　そして，「登録する地点の名称の入力を受け付け」，「受け付けた名称に対応する撮影画像，及び，位置情報を前記記憶装置から取り出し，当該位置情報が示す位置を登録する地点とし，名称及び撮影画像と対応付けて登録地点に登録」する構成について，当業者が容易に想到し得たものといえないことは，（相違点４）について検討した（５−７−４）において示したとおりである。
　そうすると，本件特許発明１の（相違点４）に係る構成について，当業者が容易に想到し得たものということができないことに伴い，上記「
前記
（５−８）小括
　以上の検討によれば，本件特許発明１が，甲１発明ないし甲４発明に基づいて当業者が容易に発明することができたものであるとはいえない。
（５−９）本件特許発明２及び本件特許発明３について
　本件特許発明２及び本件特許発明３は，本件特許発明１を更に減縮したものであるから，上記（５−５）ないし（５−７）の判断と同様の理由により，本件特許発明２及び本件特許発明３が，甲１発明ないし甲４発明に基づいて当業者が容易に発明することができたものであるとはいえない。
６　むすび
　したがって，特許異議申立ての理由及び証拠によっては，請求項１ないし３に係る特許を取り消すことができない。
　また，他に請求項１ないし３に係る特許を取り消すべき理由を発見しない。
　よって，結論のとおり決定する。
【異議決定日】
平成２８年５月１２日（２０１６．５．１２）